(57)【特許請求の範囲】
【請求項１】
釣合重り本体および前記釣合重り本体に設けられ、釣合重り用ガイドレールを転動するガイドローラを有する釣合重りを昇降路から搬出するエレベータ釣合重り搬出方法であって、
前記釣合重り本体から前記ガイドローラを取り外し、前記釣合重りを前記釣合重り用ガイドレールから取り外す釣合重り取外工程と、
前記釣合重り取外工程の後、前記釣合重りを高さ方向から視た場合に前記ガイドローラが前記釣合重り本体の厚さ方向について前記釣合重り本体から突出するように前記ガイドローラを前記釣合重り本体に支持させるガイドローラ取付工程と、
前記ガイドローラ取付工程の後、前記ガイドローラが乗場に載るように前記釣合重りを前記昇降路から前記乗場に移動させる釣合重り移動工程と
を備えたことを特徴とするエレベータ釣合重り搬出方法。
【請求項２】
前記釣合重り移動工程では、ロープによって吊り下げられている前記釣合重りを下降させながら、前記釣合重りを前記乗場に向かって引っ張ることにより、前記釣合重りを前記昇降路から前記乗場に移動させることを特徴とする請求項１に記載のエレベータ釣合重り搬出方法。
【請求項３】
前記ガイドローラ取付工程では、前記高さ方向から視た場合に前記ガイドローラを前記厚さ方向について前記釣合重り本体から突出させるためのエレベータ釣合重り搬出用治具を介して、前記ガイドローラを前記釣合重り本体に支持させることを特徴とする請求項１または請求項２に記載のエレベータ釣合重り搬出方法。
【請求項４】
釣合重り本体および前記釣合重り本体に設けられ、釣合重り用ガイドレールを転動するガイドローラを有する釣合重りを昇降路から搬出する際に用いられるエレベータ釣合重り搬出用治具であって、
前記ガイドローラが取り付けられていた前記釣合重り本体の部分に取り付けられる釣合重り本体取付部と、
前記釣合重り本体取付部と一体に形成され、前記釣合重りを高さ方向から視た場合に前記ガイドローラが前記釣合重り本体の厚さ方向について前記釣合重り本体から突出するように前記ガイドローラが取り付けられるガイドローラ取付部と
を備えたことを特徴とするエレベータ釣合重り搬出用治具。
【請求項５】
昇降路に設けられた釣合重り本体と、
前記釣合重り本体にねじ止めされる支持部と、
前記支持部に回転可能に支持されたガイドローラと
を備え、
前記釣合重り本体には、前記ガイドローラが前記昇降路に設けられた釣合重り用ガイドレールを転動する位置に前記ガイドローラを配置するため、前記釣合重り本体および前記支持部のねじ止めに用いられる第１のボルト孔および第２のボルト孔が形成され、
前記支持部には、前記ガイドローラが前記釣合重り用ガイドレールを転動する位置に配置された状態で、前記第１ボルト孔および前記第２ボルト孔のそれぞれに重なる２つのボルト孔が形成され、
前記釣合重り本体には、前記第１のボルト孔の中心と前記第２のボルト孔の中心とを結ぶ直線に対して直交する方向に、第３のボルト孔および第４のボルト孔が並べて形成され、
前記第３のボルト孔の中心から前記第４のボルト孔の中心までの距離は、前記第１のボルト孔の中心から前記第２のボルト孔の中心までの距離と等しく、
高さ方向から視た場合に、前記第３のボルト孔の中心から前記釣合重り本体の外縁までの前記直線の方向における距離および前記第４のボルト孔の中心から前記釣合重り本体の外縁までの前記直線の方向における距離は、前記釣合重り用ガイドレールを転動する位置に配置された場合における前記ガイドローラと前記釣合重り用ガイドレールに接触する面から前記直線までの距離よりも小さいことを特徴とする釣合重り。
【発明の詳細な説明】
【技術分野】
【０００１】
この発明は、釣合重りを昇降路から搬出するエレベータ釣合重り搬出方法および釣合重りを昇降路から搬出する際に用いられるエレベータ釣合重り搬出用治具に関する。
【背景技術】
【０００２】
従来、昇降路に支持された揚重装置を備え、揚重装置を用いて釣合重りを昇降路のピットまで吊り降ろすエレベータ釣合重り搬出装置が知られている。ピットに吊り降ろされた釣合重りは、ピット内で解体され、解体された釣合重りはピットから乗場に搬出される（例えば、特許文献１参照）。
【先行技術文献】
【特許文献】
【０００３】
【特許文献１】特開平１１−３４９２５５号公報
【発明の概要】
【発明が解決しようとする課題】
【０００４】
しかしながら、ピットまで吊り降ろされた釣合重りをピット内で解体し、解体された釣合重りをピットから乗場に搬出するので、釣合重りを昇降路から乗場に搬出する作業効率が悪いという問題点があった。
【０００５】
この発明は、釣合重りを昇降路から乗場に搬出する作業効率を向上させることができるエレベータ釣合重り搬出方法およびエレベータ釣合重り搬出用治具を提供するものである。
【課題を解決するための手段】
【０００６】
この発明に係るエレベータ釣合重り搬出方法は、釣合重り本体および釣合重り本体に設けられ、釣合重り用ガイドレールを転動するガイドローラを有する釣合重りを昇降路から搬出するエレベータ釣合重り搬出方法であって、釣合重り本体からガイドローラを取り外し、釣合重りを釣合重り用ガイドレールから取り外す釣合重り取外工程と、釣合重り取外工程の後、釣合重りを高さ方向から視た場合にガイドローラが釣合重り本体の厚さ方向について釣合重り本体から突出するようにガイドローラを釣合重り本体に支持させるガイドローラ取付工程と、ガイドローラ取付工程の後、ガイドローラが乗場に載るように釣合重りを昇降路から乗場に移動させる釣合重り移動工程とを備えている。
【発明の効果】
【０００７】
この発明に係るエレベータ釣合重り搬出方法によれば、釣合重り本体からガイドローラを取り外し、釣合重りを釣合重り用ガイドレールから取り外す釣合重り取外工程と、釣合重り取外工程の後、釣合重りを高さ方向から視た場合にガイドローラが釣合重り本体の厚さ方向について釣合重り本体から突出するようにガイドローラを釣合重り本体に支持させるガイドローラ取付工程と、ガイドローラ取付工程の後、ガイドローラが乗場に載るように釣合重りを昇降路から乗場に移動させる釣合重り移動工程とを備えているので、釣合重りを解体することなく、昇降路から乗場に搬出することができる。その結果、釣合重りを昇降路から乗場に搬出する作業効率を向上させることができる。
【図面の簡単な説明】
【０００８】
【図１】この発明の実施の形態１に係るエスカレータ装置を示す構成図である。
【図２】図１の釣合重りを示す側面図である。
【図３】図２の釣合重りを示す平面図である。
【図４】図３の釣合重り本体に取り付けられるエレベータ釣合重り搬出用治具を示す構成図である。
【図５】図４のエレベータ釣合重り搬出用治具を示す側面図である。
【図６】図４のエレベータ釣合重り搬出用治具が釣合重りに取り付けられた状態を示す平面図である。
【図７】図６のエレベータ釣合重り搬出用治具が釣合重りに取り付けられた状態を示す側面図である。
【図８】図１の釣合重りを昇降路から搬出する方法を示すフローチャートである。
【図９】図１の釣合重りを乗場に移動させる状態を示す側面図である。
【図１０】図９の釣合重りを乗場に載せた状態を示す図である。
【図１１】この発明の実施の形態２に係る釣合重り本体の上面の端部を示す図である。
【発明を実施するための形態】
【０００９】
実施の形態１．
図１はこの発明の実施の形態１に係るエレベータ装置を示す構成図である。エレベータ装置は、昇降路１００に設けられたかご１と、一端部がかご１に接続されたロープ２と、昇降路１００に設けられ、ロープ２の他端部に接続された釣合重り３と、機械室１０１に設けられ、ロープ２が巻き掛けられた巻上機４とを備えている。巻上機４が駆動することによって、ロープ２が移動する。ロープ２が移動することによって、かご１および釣合重り３が互いに反対方向に昇降する。釣合重り３は、昇降路１００の奥行方向についてかご１よりも背面側に配置されている。言い換えれば、釣合重り３は、釣合重り３を高さ方向から視た場合に釣合重り３と乗場１０２との間にかご１が配置されるように配置されている。
【００１０】
図２は図１の釣合重り３を示す側面図、図３は図２の釣合重り３を示す平面図である。エレベータ装置は、昇降路１００に設けられ高さ方向に延びた釣合重り用ガイドレール５をさらに備えており、釣合重り３は、昇降路１００を昇降する際に釣合重り用ガイドレール５に案内される。それぞれの釣合重り用ガイドレール５は、昇降路１００の側壁に平行に配置される平板形状の基部５１と、基部５１から垂直方向に延びるレール本体５２とを有している。それぞれのレール本体５２は、先端部が互いに対向するように配置されている。
【００１１】
釣合重り３は、釣合重り枠および重り板を含む釣合重り本体３１と、釣合重り本体３１の上部に設けられた一対の上部ガイドローラ（ガイドローラ）３２と、釣合重り本体３１の下部に設けられた一対の下部ガイドローラ（ガイドローラ）３３とを有している。上部ガイドローラ３２および下部ガイドローラ３３が釣合重り用ガイドレール５を転動することによって、釣合重り３は、昇降路１００を昇降する際に、釣合重り用ガイドレール５に案内される。
【００１２】
上部ガイドローラ３２は、釣合重り本体３１に形成されたボルト孔に挿入されるボルト３２１と、ボルト３２１を用いて釣合重り本体３１の上面に固定される固定板３２２と、固定板３２２に回転可能に支持され、釣合重り用ガイドレール５のレール本体５２を転動する第１ローラ部３２３と、固定板３２２に回転可能に支持され、釣合重り用ガイドレール５のレール本体５２の側面を転動する一対の第２ローラ部３２４とを有している。一対の第２ローラ部３２４は、釣合重り用ガイドレール５を挟むようにして配置されている。
【００１３】
この例では、第２ローラ部３２４は、釣合重り３を高さ方向から視た場合に、釣合重り本体３１の厚さ方向について釣合重り本体３１から突出していない。つまり、上部ガイドローラ３２は、釣合重り３を高さ方向から視た場合に、釣合重り本体３１の厚さ方向について釣合重り本体３１から突出していない。
【００１４】
下部ガイドローラ３３は、上部ガイドローラ３２と同様の構成となっている。
【００１５】
図４は図３の釣合重り本体３１に取り付けられるエレベータ釣合重り搬出用治具６を示す構成図、図５は図４のエレベータ釣合重り搬出用治具６を示す側面図である。ここでは、釣合重り本体３１の上部に取り付けられるエレベータ釣合重り搬出用治具６について説明するが、釣合重り本体３１の下部に取り付けられるエレベータ釣合重り搬出用治具６も同様の構成となっている。エレベータ釣合重り搬出用治具６は、上部ガイドローラ３２が取り付けられていた釣合重り本体３１の部分に取り付けられる釣合重り本体取付部６１と、釣合重り本体取付部６１と一体に形成されたガイドローラ取付部６２と、釣合重り本体取付部６１が釣合重り本体３１に取り付けられている場合であってエレベータ釣合重り搬出用治具６が釣合重り本体３１を支持する場合に、釣合重り本体３１を支持する支持部６３とを備えている。上部ガイドローラ３２は、釣合重り３を高さ方向から視た場合に上部ガイドローラ３２が釣合重り本体３１の厚さ方向について釣合重り本体３１から突出するようにガイドローラ取付部６２に取り付けられる。上部ガイドローラ３２が釣合重り３を高さ方向から視た場合に釣合重り本体３１から突出する方向は、昇降路１００についての奥行方向であって乗場１０２から離れる方向である。言い換えれば、上部ガイドローラ３２が釣合重り３を高さ方向に視た場合に釣合重り本体３１から突出する方向は、釣合重り本体３１から、昇降路１００における乗場１０２に対向する壁に向かう方向である。この例では、釣合重り３を高さ方向から視た場合に、釣合重り本体３１の厚さ方向について釣合重り本体３１から突出する上部ガイドローラ３２の部分は、第１ローラ部３２３となっている。なお、釣合重り３を高さ方向から視た場合に、釣合重り本体３１の厚さ方向について釣合重り本体３１から突出する上部ガイドローラ３２の部分は、第２ローラ部３２４であってもよい。
【００１６】
釣合重り本体取付部６１には、ボルト３２１が挿入されるボルト孔６１１が形成されている。ボルト孔６１１は、釣合重り本体取付部６１が釣合重り本体３１に取り付けられる際に、釣合重り本体３１のボルト孔と重なるように形成されている。ボルト孔６１１と釣合重り本体３１のボルト孔とにボルト３２１が挿入されることによって、釣合重り本体取付部６１が釣合重り本体３１に支持される。
【００１７】
ガイドローラ取付部６２には、上部ガイドローラ３２が取り付けられる際に、上部ガイドローラ３２のボルト孔と重なるように配置されたボルト孔６２１が形成されている。
【００１８】
図６は図４のエレベータ釣合重り搬出用治具６が釣合重り３に取り付けられた状態を示す平面図、図７は図６のエレベータ釣合重り搬出用治具６が釣合重り３に取り付けられた状態を示す側面図である。エレベータ釣合重り搬出用治具６は、ボルト孔６２１に挿入されるボルト６４をさらに備えている。ボルト６４が上部ガイドローラ３２のボルト孔およびボルト孔６２１に挿入されることによって、上部ガイドローラ３２がガイドローラ取付部６２に支持される。釣合重り本体取付部６１が釣合重り本体３１に固定され、上部ガイドローラ３２がガイドローラ取付部６２に固定されることによって、上部ガイドローラ３２がエレベータ釣合重り搬出用治具６を介して釣合重り本体３１に支持される。
【００１９】
次に、釣合重り３を昇降路１００から搬出する方法について説明する。図８は図１の釣合重り３を昇降路１００から搬出する方法を示すフローチャート、図９は図１の釣合重り３を乗場に移動させる状態を示す側面図、図１０は図９の釣合重り３を乗場に載せた状態を示す図である。まず、かご１および釣合重り３を停止させた状態で、釣合重り本体３１から全ての上部ガイドローラ３２および下部ガイドローラ３３を取り外し、釣合重り３を釣合重り用ガイドレール５から取り外す（ステップＳ１０１）（釣合重り取外工程）。
【００２０】
釣合重り取外工程の後、釣合重り３を高さ方向から視た場合に上部ガイドローラ３２および下部ガイドローラ３３が釣合重り本体３１の厚さ方向について釣合重り本体３１から突出するように上部ガイドローラ３２および下部ガイドローラ３３を釣合重り本体３１に支持させる（ステップＳ１０２）（ガイドローラ取付工程）。ガイドローラ取付工程では、エレベータ釣合重り搬出用治具６を介して、上部ガイドローラ３２および下部ガイドローラ３３を釣合重り本体３１に支持させる。
【００２１】
ガイドローラ取付工程の後、上部ガイドローラ３２および下部ガイドローラ３３が乗場１０２に載るように釣合重り３を昇降路１００から乗場１０２に移動させる（ステップＳ１０３）（釣合重り移動工程）。釣合重り移動工程では、ロープ２によって吊り下げられている釣合重り３を下降させながら、釣合重り３を乗場１０２に向かって引っ張ることにより、釣合重り３を昇降路１００から乗場１０２に移動させる。以上により、釣合重り３を昇降路１００から搬出する方法が終了する。
【００２２】
以上説明したように、この発明の実施の形態１に係るエレベータ釣合重り搬出方法によれば、釣合重り本体３１から上部ガイドローラ３２および下部ガイドローラ３３を取り外し、釣合重り３を釣合重り用ガイドレール５から取り外す釣合重り取外工程と、釣合重り取外工程の後、釣合重り３を高さ方向から視た場合に上部ガイドローラ３２および下部ガイドローラ３３が釣合重り本体３１の厚さ方向について釣合重り本体３１から突出するように上部ガイドローラ３２および下部ガイドローラ３３を釣合重り本体３１に支持させるガイドローラ取付工程と、ガイドローラ取付工程の後、上部ガイドローラ３２および下部ガイドローラ３３が乗場１０２に載るように釣合重り３を昇降路１００から乗場１０２に移動させる釣合重り移動工程とを備えているので、釣合重り３をピットで解体することなく、昇降路１００から乗場１０２に搬出することができる。その結果、釣合重り３を昇降路１００から乗場１０２に搬出する作業効率を向上させることができる。
【００２３】
また、釣合重り移動工程では、ロープ２によって吊り下げられている釣合重り３を下降させながら、釣合重り３を乗場１０２に向かって引っ張ることにより、釣合重り３を昇降路１００から乗場１０２に移動させるので、ピットに足場を組み立てることなく、釣合重り３を昇降路１００から乗場１０２に搬出することができる。
【００２４】
また、ガイドローラ取付工程では、高さ方向から視た場合に上部ガイドローラ３２および下部ガイドローラ３３を厚さ方向について釣合重り本体３１から突出させるためのエレベータ釣合重り搬出用治具６を介して、上部ガイドローラ３２および下部ガイドローラ３３を釣合重り本体３１に支持させるので、上部ガイドローラ３２および下部ガイドローラ３３が釣合重り本体３１に直接に取り付けられている状態では、高さ方向から視た場合に上部ガイドローラ３２および下部ガイドローラ３３が厚さ方向について釣合重り本体３１から突出していない場合に、高さ方向から視た場合に上部ガイドローラ３２および下部ガイドローラ３３を厚さ方向について釣合重り本体３１から容易に突出させることができる。
【００２５】
また、この発明の実施の形態１に係るエレベータ釣合重り搬出用治具６によれば、上部ガイドローラ３２および下部ガイドローラ３３が取り付けられていた釣合重り本体３１の部分に取り付けられる釣合重り本体取付部６１と、釣合重り本体取付部６１と一体に形成され、釣合重り３を高さ方向から視た場合に上部ガイドローラ３２および下部ガイドローラ３３が釣合重り本体３１の厚さ方向について釣合重り本体３１から突出するように上部ガイドローラ３２および下部ガイドローラ３３が取り付けられるガイドローラ取付部６２とを備えているので、釣合重り３を解体することなく、昇降路１００から乗場１０２に搬出することができる。その結果、釣合重り３を昇降路１００から乗場１０２に搬出する作業効率を向上させることができる。
【００２６】
なお、上記実施の形態１では、ピットに足場を組み立てることなく、釣合重り３を昇降路１００から乗場１０２に搬出する方法について説明したが、ピットに足場を組み立てた後、釣合重り３を足場に載せて、昇降路１００から乗場１０２に釣合重り３を搬出してもよい。
【００２７】
また、上記実施の形態１では、ロープ２によって吊り下げられている釣合重り３を下降させながら、釣合重り３を昇降路１００から乗場１０２に移動させる方法について説明したが、釣合重り３を揚重する揚重装置を昇降路１００に取り付け、揚重装置を駆動することによって釣合重り３を下降させながら、釣合重り３を昇降路１００から乗場１０２に移動させてもよい。
【００２８】
実施の形態２．
実施の形態１では、通常時において、第１ローラ部３２３の回転軸の方向が釣合重り本体３１の厚さ方向となり第２ローラ部３２４の回転軸の方向が釣合重り本体３１の幅方向となるように上部ガイドローラ３２および下部ガイドローラ３３が釣合重り本体３１に取り付けられ、搬出時において、上部ガイドローラ３２および下部ガイドローラ３３を釣合重り本体３１から一度取り外し、第１ローラ部３２３の回転軸の方向が釣合重り本体３１の幅方向となり第２ローラ部３２４の回転軸の方向が釣合重り本体３１の厚さ方向となるように、エレベータ釣合重り搬出用治具６を用いて、上部ガイドローラ３２および下部ガイドローラ３３を再度釣合重り本体３１に取り付ける構成について説明した。これに対して、エレベータ釣合重り搬出用治具６を用いずに、第１ローラ部３２３の回転軸の方向が釣合重り本体３１の幅方向となり第２ローラ部３２４の回転軸の方向が釣合重り本体３１の厚さ方向となるように、上部ガイドローラ３２および下部ガイドローラ３３を再度釣合重り本体３１に取り付けることもできる。
【００２９】
図１１はこの発明の実施の形態２に係る釣合重り本体３１の上面の端部を示す図である。実施の形態２においては、釣合重り３は、釣合重り本体３１に代えて釣合重り本体７１を有している。釣合重り本体７１の上端部には、上部ガイドローラ３２を取り付けるためのボルト３２１が通るボルト孔７１１ａ（第１のボルト孔）およびボルト孔７１１ｂ（第２のボルト孔、第３のボルト孔）が形成されている。ボルト孔７１１ａおよびボルト孔７１１ｂは、図１１に示すように、釣合重り本体７１の上端部に、釣合重り本体７１の厚さ方向に並んで配置されている。ボルト孔７１１ａは乗場１０２側に配置され、ボルト孔７１１ｂは昇降路１００における乗場１０２に対向する壁側に配置される。ボルト孔７１１ａおよびボルト孔７１１ｂは、上部ガイドローラ３２を釣合重り本体７１に取り付けるため、ボルト３２１が通る固定板３２２の２つのボルト孔と重なる位置に配置される。なお、上述では詳細を省略したが、ボルト孔７１１ａおよびボルト孔７１１ｂと固定板３２２の２つのボルト孔とは、実施の形態１においても同様の配置である。
【００３０】
また、釣合重り本体７１の上端部には、ボルト孔７１２（第４のボルト孔）がさらに形成されている。ボルト孔７１２は、上部ガイドローラ３２を釣合重り本体７１に取り付けるための孔である。ボルト孔７１２は、ボルト孔７１１ｂと同様に、昇降路１００における乗場１０２に対向する壁側に配置される。ボルト孔７１２は、ボルト孔７１１ａの中心とボルト孔７１１ｂの中心とを結ぶ直線と、ボルト孔７１１ｂの中心とボルト孔７１２の中心とを結ぶ直線とが直交する位置に配置される。ボルト孔７１１ｂおよびボルト孔７１２は、昇降路１００における乗場１０２に対向する壁に沿って配置され、ボルト孔７１１ｂの中心からボルト孔７１２の中心までの距離は、ボルト孔７１１ａの中心からボルト孔７１１ｂの中心までの距離と等しい。そのため、固定板３２２の２つのボルト孔を通る２つのボルト３２１を、それぞれボルト孔７１１ｂとボルト孔７１２に通し、釣合重り本体７１の上端部と固定板３２２をねじ止めすることで、上部ガイドローラ３２を釣合重り本体７１に取り付けることができる。釣合重り３を高さ方向から視た場合に、ボルト孔７１１ｂの中心から釣合重り本体７１の外縁までのボルト孔７１１ａの中心とボルト孔７１１ｂの中心とを結ぶ直線の方向における距離は、ボルト孔７１１ａの中心とボルト孔７１１ｂの中心とを結ぶ直線から第１ローラ部３２３の釣合重り用ガイドレール５に接触する面までの距離よりも小さい。ボルト孔７１２の中心から釣合重り本体７１の外縁までの前記直線における距離についても、ボルト孔７１１ａの中心とボルト孔７１１ｂの中心とを結ぶ直線から第１ローラ部３２３の釣合重り用ガイドレール５に接触する面までの距離よりも小さい。
【００３１】
上記実施の形態１では、エレベータ釣合重り搬出用治具６が釣合重り本体３１に取り付けられていない状態では、釣合重り３を高さ方向から視た場合に、上部ガイドローラ３２および下部ガイドローラ３３が釣合重り本体３１の厚さ方向について釣合重り本体３１から突出していない構成について説明した。一方で、以上説明したように、エレベータ釣合重り搬出用治具６が釣合重り本体３１に取り付けられていない状態で、釣合重り３を高さ方向から視た場合に、上部ガイドローラ３２および下部ガイドローラ３３が釣合重り本体３１の厚さ方向について釣合重り本体３１から突出する構成であってもよい。この場合、エレベータ釣合重り搬出用治具６を用いる必要がなく、釣合重り取外工程の後、ガイドローラ取付工程で、エレベータ釣合重り搬出用治具６を介さずに、上部ガイドローラ３２および下部ガイドローラ３３を釣合重り本体３１に支持させることができる。これにより、部品点数の削減が可能となる。
【００３２】
また、釣合重り本体７１の上端部に、昇降路１００における乗場１０２に対向する壁に沿ってボルト孔７１１ｂおよびボルト孔７１２を配置することで、一度取り外した上部ガイドローラ３２を釣合重り本体７１に対して角度を変えて再度取り付けることができる。エレベータ釣合重り搬出用治具６を用いる必要がないため、部品点数の削減が可能である。また、上部ガイドローラ３２を釣合重り本体７１に取り付けるため、釣合重り３の搬出前に用いたボルト孔７１１ｂを、上部ガイドローラ３２を釣合重り本体７１に再度取り付けるため、釣合重り３の搬出時に再度用いることで、釣合重り本体７１の加工工程を削減できる。
【００３３】
なお、釣合重り本体７１の上端部のうち、上部ガイドローラ３２を取り付ける一箇所のみについて説明したが、上端部のうち、もう一方の上部ガイドローラ３２の取付箇所、および下部ガイドローラ３３の取付箇所についても同様の構成にできる。また、実施の形態１の取付構成と、実施の形態２の取付構成とを両方採用することもできる。例えば、上部ガイドローラ３２については実施の形態１の取付構成とし、下部ガイドローラ３３については実施の形態２の取付構成とすることもできる。
【００３４】
また、釣合重り取外工程では、全ての上部ガイドローラ３２および下部ガイドローラ３３を取り外す必要はなく、一対の中の一方の上部ガイドローラ３２および下部ガイドローラを取り外して、釣合重り３を釣合重り用ガイドレール５から取り外してもよい。また、ボルト孔７１１ａを通るボルト３２１を取り除き、ボルト孔７１１ｂを通るボルト３２１による釣合重り本体７１の上端部と固定板３２２とのねじ止めを緩めた状態で、ボルト孔７１１ｂを通るボルト３２１を中心として、上部ガイドローラ３２を回転させることができる。この回転により、固定板３２２のボルト孔とボルト孔７１２を重ねることができるため、これらのボルト孔にボルト孔７１１ａから取り除かれたボルト３２１を通すことで、釣合重り本体７１の上端部と固定板３２２とをねじ止めすることができる。以上の手順では、ガイドローラ取付工程においてボルト３２１を１つのみ取り外せばよいので、工事期間の短縮が図れる。また、上部ガイドローラ３２の釣合重り本体７１の上端部への取付位置を変更する過程で、ボルト孔７１１ｂを通るボルト３２１により、上部ガイドローラ３２が釣合重り本体７１に仮止めされた状態になる。よって、昇降路１００内の限られた作業スペースにおいても効率的に作業を行うことができ、作業中の部品の落下等を防ぐことができる。
【００３５】
なお、搬出前と搬出時とでボルト孔７１１ｂを共用のものとしたが、別のボルト孔（第３のボルト孔）を設けてもよい。
【符号の説明】
【００３６】
１  かご、２  ロープ、３  釣合重り、４  巻上機、５  釣合重り用ガイドレール、６  エレベータ釣合重り搬出用治具、３１  釣合重り本体、３２  上部ガイドローラ、３３  下部ガイドローラ、５１  基部、５２  レール本体、６１  釣合重り本体取付部、６２  ガイドローラ取付部、６３  ボルト、１００  昇降路、１０１  機械室、１０２  乗場、３２１  ボルト、３２２  固定板、３２３  第１ローラ部、３２４  第２ローラ部、６１１  ボルト孔、６２１  ボルト孔。
【図１】
0006362571.tif 000002
【図２】
0006362571.tif 000003
【図３】
0006362571.tif 000004
【図４】
0006362571.tif 000005
【図５】
0006362571.tif 000006
【図６】
0006362571.tif 000007
【図７】
0006362571.tif 000008
【図８】
0006362571.tif 000009
【図９】
0006362571.tif 000010
【図１０】
0006362571.tif 000011
【図１１】
0006362571.tif 000012